(57)【要約】【課題】設定されたチャートスピードで記録を続けた場合にチャートが無くなる日付や時刻または記録可能時間を表示して、チャート切れを未然に防止することのできるチャートレコーダを提供する。【解決手段】被測定信号を計測し、その計測結果を連続的なチャートに記録するチャートレコーダにおいて、チャートスピードやチャート残量値を設定するキーボードと、前記チャートスピードやチャート残量値を保存するメモリと、チャート残量値を参照してチャート残量に関わる情報を求めて出力するチャート情報算出手段を備える。【選択図】　　　図１
2004125419.tif 000002
【特許請求の範囲】
【請求項１】
被測定信号を計測し、その計測結果を連続的なチャートに記録するチャートレコーダにおいて、
チャートスピードやチャート残量値を設定するキーボードと、
前記チャートスピードやチャート残量値を保存するメモリと、
チャート残量値を参照してチャート残量に関わる情報を求めて出力するチャート情報算出手段
を備えたことを特徴とするチャートレコーダ。
【請求項２】
前記チャート情報算出手段は、チャートを送るごとにチャート送り量を求めて前記メモリのチャート残量値を更新し、このチャート残量値を参照してチャート残量に関わる情報を求めるように構成されたことを特徴とする請求項１記載のチャートレコーダ。
【請求項３】
前記チャート情報算出手段は、外部からのチャート情報出力要求のコマンドを受付け、表示噐または外部との通信を行う通信機構へ前記チャート残量に関わる情報を出力する機能を有したことを特徴とする請求項１または２記載のチャートレコーダ。
【請求項４】
前記チャート残量に関わる情報として、チャート残量、チャートが無くなるまでの時間、チャートが無くなる時刻の中の、少なくともいずれか１つが求められるように構成されたことを特徴とする請求項１ないし３のいずれかに記載のチャートレコーダ。
【請求項５】
前記チャート情報算出手段は、ＣＰＵを備え、このＣＰＵにより前記チャート残量値の更新、チャート残量に関わる情報の算出を行うようにしたことを特徴とする請求項１または４のいずれかに記載のチャートレコーダ。
【請求項６】
チャート残量が、前記キーボードにより設定された距離になると、チャートエンドを示す信号が得られ、この信号に基づいてチャートエンドリレーの駆動またはチャートエンドアラームの発生または前記通信機構から電子メールでチャートエンドを外部に通知するように構成したことを特徴とする請求項１ないし５のいずれかに記載のチャートレコーダ。
【請求項７】
前記チャート上に記載されたチャート残量マークを光学的に読取り、そのチャート残量値を前記メモリに保存するように構成したことを特徴とする請求項１ないし６のいずれかに記載のチャートレコーダ。
【発明の詳細な説明】
【０００１】
【発明の属する技術分野】
本発明は、チャートレコーダに関し、特にチャート残量などの情報を出力することのできるチャートレコーダに関するものである。
【０００２】
【従来の技術】
従来より、被測定信号を計測し、その計測結果を連続的な記録用紙に記録するようにした記録装置、例えばチャートレコーダはよく知られている。
このようなチャートレコーダにおいてはロールあるいは折り畳み式のチャートが使用されるが、そのチャートには交換時期の目安として通常チャート残量表示マークが設けられている（残量表示については、例えば特許文献１参照）。
【０００３】
図３はこの種のチャート残量表示の一例を示すものである。チャート１の両側の余白部（耳部）２にはチャート送り用の穴３が形成されている。
チャートの終端間近（例えばチャート残り４０ｃｍ付近）には、チャートの側端部に例えば赤色の帯状に着色された残量表示マーク４が付いている。オペレータはこのマークを見てチャートの交換時期を知る。
さらに、余白部２にチャート残量値、例えば１８５ｃｍ、２００ｃｍなどを印刷したものもある。オペレータはこれにより残りのチャート長さを知ることができる。
【０００４】
また、チャートレコーダにはチャートエンド検知機構が設けられ、チャートが無くなるとこのチャートエンド検知機構が働き、「チャート残量なし」などの表示あるいはチャートエンド通知のリレーの作動などによりチャートエンドを警告するようになっているものもある。
【０００５】
【特許文献１】
特開平９−２７７７５６公報　（第２頁）
【０００６】
【発明が解決しようとする課題】
しかし、このような従来のチャート残量表示方式では、次のような課題があった。
（１）設定された記録紙送り速度（チャートスピード）で運転（記録）を行う場合、チャートが無くなる日付や時刻または記録可能時間までは表示されず、オペレータがチャート残量とチャートスピードから計算により求めなければならない。
（２）オペレータがチャートを見て残量を知る方式であり、遠隔地から通信などによりチャート残量を知ることはできない。
【０００７】
本発明の目的は、上記の課題を解決するもので、設定されたチャートスピードで記録を続けた場合にチャートが無くなる日付や時刻または記録可能時間を表示して、チャート切れを未然に防止することのできるチャートレコーダを提供することにある。
本発明の他の目的は、遠隔地からも容易にチャート残量が確認できるチャートレコーダを提供することにある。
【０００８】
【課題を解決するための手段】
このような目的を達成するために、請求項１の発明は、
被測定信号を計測し、その計測結果を連続的なチャートに記録するチャートレコーダにおいて、チャートスピードやチャート残量値を設定するキーボードと、前記チャートスピードやチャート残量値を保存するメモリと、チャート残量値を参照してチャート残量に関わる情報を求めて出力するチャート情報算出手段を備えたことを特徴とする。
【０００９】
このような構成によれば、設定されたチャートスピードで運転（記録）しているとき、チャートが無くなる日時などが自動的に求められる。従来のようにオペレータがチャート残量とチャートスピードを基に計算で求める必要はない。
【００１０】
この場合、請求項２のように、チャート情報算出手段が、チャートを送るごとにチャート送り量を求めて前記メモリのチャート残量値を更新し、このチャート残量値を参照してチャート残量に関わる情報を求める。
【００１１】
また、請求項３のように、チャート情報算出手段には、外部からのチャート情報出力要求のコマンドを受付け、表示噐または外部との通信を行う通信機構へ前記チャート残量に関わる情報を出力する機能を持たせることができる。
これにより、遠隔地においても容易にチャート残量に関わる情報を確認することができる。
【００１２】
また、チャート残量に関わる情報は、請求項４のように、チャート残量、チャートが無くなるまでの時間、チャートが無くなる時刻の中の、少なくともいずれか１つである。すなわち、いずれか１つ、あるいはいずれか２つ、あるいは３つ全部を求めて出力することができる。
【００１３】
また、請求項５のようにチャート情報算出手段にはＣＰＵを用い、このＣＰＵにより前記チャート残量値の更新、チャート残量に関わる情報の算出を行う。
【００１４】
また、請求項６のように、チャート残量が、前記キーボードにより設定された距離になると、チャートエンドを示す信号が得られ、この信号に基づいてチャートエンドリレーの駆動またはチャートエンドアラームの発生または前記通信機構から電子メールでチャートエンドを外部に通知することができる。
これにより、チャートエンドアラームなどをチャートの任意の設定距離にて出力させることができる。
【００１５】
また、請求項７のように、チャート上に記載されたチャート残量マークを光学的に読取り、そのチャート残量値を前記メモリに保存するように構成することもできる。これにより、オペレータはチャート残量を設定する必要がなくなる。
【００１６】
【発明の実施の形態】
以下図面を用いて本発明を詳しく説明する。図１は本発明に係るチャートレコーダの一実施例を示す打点記録計のブロック構成図である。図において、１０は複数チャンネルの入力信号を択一的に選択するマルチプレクサ（ＭＰＸ）である。マルチプレクサ１０の出力信号は増幅器（ＡＭＰ）１１を介してＡ／Ｄ変換器（Ａ／Ｄ）１２に加えられる。Ａ／Ｄ変換器１２の出力データはバス１３に出力される。
【００１７】
マルチプレクサ１０、増幅器１１およびＡ／Ｄ変換器１２はバス１３を介して中央処理ユニット（ＣＰＵ）１４で制御される。ＣＰＵ１４にはＲＯＭ１５およびＲＡＭ１６のメモリが接続されている。なお、ＲＯＭ１５には動作プログラムや固定データなどが格納されている。ＲＡＭ１６には測定データ（Ａ／Ｄ変換器１２の出力データ）や演算データが格納される。
【００１８】
前記バス１３には、インターフェイス（ＩＦ）１７を介してキーボード１８が接続され、また表示噐駆動回路（ＤＤＣ）１９を介して表示噐２０が接続されている。さらに、記録ヘッド（図示せず）を移動させる記録ヘッド移動機構２２の駆動を行う走査回路（ＨＳＣ）２１、記録ヘッドに打点動作を行なわせる記録ヘッド駆動機構２４を駆動する記録ヘッド駆動回路（ＨＤＣ）２３、紙（チャート）送りのための紙送り機構２６を駆動する紙送り機構駆動回路（ＰＤＣ）２５、通信回線２９を介してコマンドやデータを入出力する機能を有した通信機構２８のためのインターフェイス２７がそれぞれバス１３に接続されている。
【００１９】
このような構成におけるデータの処理について次に説明する。メモリ１６の一部には測定データ格納エリアが割り当てられ、Ａ／Ｄ変換器１２から出力される各チャンネルごとの測定データが格納される。各チャンネルごとの測定データは、マルチプレクサ１０により切替え選択され、増幅器１１にて適宜増幅された後、Ａ／Ｄ変換器１２に入力される。
【００２０】
メモリ１６に格納された測定データはＣＰＵ１４により読み出され、記録紙上に記録される。このとき、記録ヘッドは測定データの大きさに応じた記録紙上の位置に移動し、打点動作を行う。記録ヘッドの移動や打点動作はＣＰＵ１４により制御される。
【００２１】
記録紙は、ＣＰＵ１４から指定された所定の紙送り速度で送られる。紙送り速度はキーボード１８からＣＰＵ１４に入力される。なお、キーボード１８からは、紙送り速度以外に各種の設定情報をＣＰＵ１４に与えることができる。
表示噐２０にはＣＰＵ１４から出力されるチャンネル番号、測定データ、紙送り速度などの各種設定値などが表示される。
【００２２】
以上の動作は打点記録計の一般的な動作である。以下に本発明特有の動作を、図２の処理フローを参照して、説明する。
（１）チャートを装着するときに、チャート残量をキーボード１８より設定する。設定された残量値はメモリ１６に保存される。チャート残量値は、例えば長さの単位（例えば、ｍｍ）あるいは紙送り機構２６のチャートドライブモータ（図示せず）のステップ数でも構わない。例えば、１ステップ当たり０．０５ｍｍの場合、チャート残量１９．７ｍ相当のステップ数は３９４０００となる。
【００２３】
（２）キーボード１８よりチャートスピード設定を行う。その設定値（例えば、１００ｍｍ／ｈなど）はメモリ１６に保存される。なお、この設定値はあらかじめ設定しておいても構わない。
【００２４】
（３）記録を開始（ＯＮ）する。
例えば、チャートスピード９０ｍｍ／ｈ、記録周期１０秒、チャート残量値１９７００ｍｍで記録を開始する。
（４）ラスタスキャン・間欠紙送りの記録方式の場合、記録周期が１０秒であるので、トレンド記録終了後に、９０（ｍｍ／ｈ）／（３６００（秒）／１０（秒））＝０．２５ｍｍだけチャートが送られる。
【００２５】
（５）チャート残量を計算する。
（チャート残量）＝（設定のチャート残量値）−（紙送り量）より、チャート残量１９６９９．７５ｍｍ（＝１９７００−０．２５）が求められ、メモリ１６に保存される。
なお、チャートドライブモータのステップ数（０．０５ｍｍ／ステップ）で指定の場合は、３９４０００−５＝３９３９９５ステップである。
（６）チャート残量などのデータ要求があった場合は、次の（７）の処理に移る。ない場合は、上記（４）、（５）を繰り返す。
【００２６】
（７）キーボード１８あるいは外部からの通信により、チャート残量などの出力要求があった場合
（７．１）チャート残量値
上記（５）で求めた１９６９９．７５ｍｍ。なお、チャート残量に応じてｍ単位、ｃｍ単位でもよい。
【００２７】
（７．２）チャート残量０までの時間
（チャート残量値）／（チャートスピード値）により計算する。例えば、チャート残量値が１９６９９．７５ｍｍで、チャートスピード値が９０ｍ／ｈの場合は、２１８時間５３分１０秒となる。
チャートスピード設定値やチャート残量値に応じて、年、月、日、時、分、秒のいずれの単位による値でも構わない。
【００２８】
（７．３）チャート残量０の時刻
（現在時刻）＋（チャート残量０までの時間）によりチャート残量が０になる時刻を求める。例えば、現在時刻が２００２年４月１６日１４時５８分４５秒のとき、チャート残量０までの時間が２１８時間５３分１０秒であれば、チャート残量０となる時刻は、２００２年４月２５日１７時５１分５５秒となる。
【００２９】
なお、以上の演算処理はすべてＣＰＵ１４にて行われる。このようにして求めたチャート残量などのデータは表示噐２０での表示あるいは通信により外部装置への送信などに供される。
この場合、出力データは必ずしも上記（７．１）〜（７．３）の３つのデータを揃える必要はなく、要求に応じていずれか１つでも２つでも構わない。
また、チャート残量などのデータは、計算後メモリ１６に一旦保存し、その後これを読み出して表示あるいは通信に利用するようにしてもよい。
【００３０】
（８）チャートスピードの設定変更または記録周期の設定変更があった場合
上記（４）で行った計算式を用いてトレンド記録終了後のチャート送り量を求める。なお、この計算は記録タイミングごとに計算しても構わない。
【００３１】
（９）チャートフィードを行った場合は、チャートフィード量を求め（紙送り機構２６の駆動に基づいてＣＰＵ１４にて求められる）、これを用いてチャート残量計算を行い、計算結果のチャート残量値をメモリ１６に保存する。なお、チャートを１ステップ（０．０５ｍｍ）送るごとにチャート残量計算を行うようにしてもよい。また、通常記録時においても１ステップ送るごとにチャート残量計算を行っても構わない。
【００３２】
なお、リスト印字、マニュアルプリント印字などのディジタル専用印字の場合も、チャート送り量を管理し、チャート残量計算を行う。
また、本発明は打点記録計に限らずペン記録方式（ペンモデル）の記録計にも適用できる。ペンモデルの場合、連続紙送りであるため、上記の記録タイミングに相当するのは紙送りタイミング（１ステップごと、すなわち０．０５ｍｍごと）である。チャートスピードが９０ｍｍ／ｈの場合、３６００／（９０／０．０５）＝２（秒）となり、ペンモデルでも打点記録計と同様に実現可能である。
【００３３】
なお、ＣＰＵ１４、ＲＯＭ１５、ＲＡＭ１６からなる部分は、チャート残量値を参照してチャート残量に関連する情報を求め出力する、いわゆるチャート情報算出手段を構成する。
【００３４】
なお、本発明は上記実施例に限定されることなくその本質から逸脱しない範囲で更に多くの変更、変形をも含むものである。
例えば、上記実施例では、チャート装着時にチャート残量を設定するが、チャート上に残量値を示すマークを付けておき、そのマークを光学的手段などで読取ることにより、チャート残量の設定が不要になる。チャートの途中から使用する場合などに有効である。
【００３５】
また、チャート残量がある長さになったときにチャートエンドを出力することができるようにすることも可能である。チャートエンド信号は、例えばチャートエンドリレーで出力したり、あるいは通信機構２８を介して電子メールなどで出力することができる。また、前記チャート残量の長さは適宜の値に設定することができる。
【００３６】
さらに、チャートエンドアラームを出力する場合、現在のチャートスピード設定値でチャート残量が零になる何時間前にそのアラームを出力するかを設定することもできる。その時間が設定されると、ＣＰＵ１４では時間を距離に換算して、上記と同様の処理によりチャートエンドを出力する。
【００３７】
【発明の効果】
以上説明したように本発明によれば次のような効果がある。
（１）設定されたチャートスピードでの運転（記録）中に、チャートが無くなる日時をチャートレコーダの表示噐などで容易に確認することができる。
（２）通信機能を有しているため遠隔地からチャート残量などの情報を容易に知ることができる。
【図面の簡単な説明】
【図１】本発明に係るチャートレコーダの一実施例を示す打点記録計のブロック構成図である。
【図２】処理フローを示す図である。
【図３】チャート残量表示の一例を示す図である。
【符号の説明】
１０　マルチプレクサ
１１　増幅器
１２　Ａ／Ｄ変換器
１３　バス
１４　ＣＰＵ
１５　ＲＯＭ
１６　ＲＡＭ
１７、２７　インターフェイス
１８　キーボード
１９　表示噐駆動回路
２０　表示噐
２１　走査回路
２２　記録ヘッド移動機構
２３　記録ヘッド駆動回路
２４　記録ヘッド駆動機構
２５　紙送り機構駆動回路
２６　紙送り機構
２８　通信機構
２９　通信回線
【図１】
2004125419.tif 000003
【図２】
2004125419.tif 000004
【図３】
2004125419.tif 000005